(57)【要約】【課題】　切断屑により動作に支障をきたす不都合を未然に防止する。【解決手段】　給紙マガジン２０を取り出すときに開く装填蓋１３を設ける。装填蓋１３の隣に切断屑を収納する容器１４の取手１５を露呈する。容器１４は取手１５を持って引き出すことでプリンタ１０の外部に取り出させる。装填蓋１３と取手１５とには、互いに係合する係合板と被係合板とが設けられている。記録紙交換時期に装填蓋１３を開くとこれに連動して容器１４が取り出し方向に引き出され切断屑を収納した収納部１９の一部が外部に露呈する。【選択図】　　　　図３
2004136650.tif 000002
【特許請求の範囲】
【請求項１】
記録紙の一部を切断するカッタと、前記カッタで切断しときに生じる切屑を収容する収納部を設けた容器とを備えたカッタ付きプリンタにおいて、
　前記収納部の一部が外部に露呈する露呈位置と収納部を該プリンタの本体内に収納する収納位置との間で前記容器を移動自在に設け、前記記録紙又は記録紙を収納するマガジンを装填するときの装填蓋の開き操作に連動して前記容器を露呈位置に移動させる連動手段を備えたことを特徴とするカッタ付きプリンタ。
【請求項２】
　前記連動手段を、前記容器を露呈位置に向けて付勢する付勢手段と、装填蓋が閉じ位置のときに前記容器を収納位置に保持するとともに、前記装填蓋が開き位置に向けて移動する途中又は開き位置に移動後に前記保持を解除する保持解除手段とで構成したことを特徴とする請求項１記載のカッタ付きプリンタ。
【発明の詳細な説明】
【技術分野】
【０００１】
　本発明は、記録紙の一部を切断するカッタ付きプリンタに関するものであり、更に詳しくは、切断された切屑を収容する収納部を備えたプリンタに関するものである。
【背景技術】
【０００２】
　サーマルヘッドによりカラー感熱記録紙を加熱して３色面順次でフルカラー画像を記録するカラー感熱プリンタが知られている。カラー感熱プリンタでは、搬送ローラでニップした状態でカラー感熱記録紙の往復動が行われる。サーマルヘッドは、搬送ローラに近い位置に配置されているが、搬送ローラとサーマルヘッドとの間の距離に相当する部分には、画像を記録することができない。また、サーマルヘッドは、プラテンローラとの間でカラー感熱記録紙をニップしているが、カラー感熱記録紙からはみ出ているサーマルヘッドの部分でプラテンローラを加熱すると、プラテンローラが熱変形したり、寿命が劣化したりする。そこで、カラー感熱記録紙の端部に余白を残し、その内側に画像を記録している。これらの理由からプリント済みのカラー感熱記録紙には、搬送方向に沿った画像記録エリアの前後端及び両側端には余白が形成される。
【０００３】
　最近は余白のないプリントを望むユーザーが増えているため、前後端余白カッタと両側端余白カッタとを備えて画像記録エリアの全周の余白を切断するカッタ付きプリンタが周知である（特許文献１）。このカッタ付きプリンタには、カッタの下方位置に、切断した切屑を収納する容器が設けられている。これにより、プリンタ内に切屑が散乱してしまうことを防止している。容器はプリンタに着脱自在に設けられており、切屑が溜まったときには容器をプリンタ本体から取り外して切屑が廃棄される。
【０００４】
　また、ロール記録紙を用い、帯状に引き出した記録紙に画像を記録するプリンタも知られている（特許文献２）。この特許文献２記載のプリンタにも、画像記録後にシート状に切り離すためのカッタが設けられている。このカッタは、シート状に切り離す切断に加えて、前回シート状に切り離す切断を行った記録紙先端と今回記録した画像記録エリアの先端との間の前端余白を切断する。このため容器が必要となる。
【０００５】
【特許文献１】特開２００１−６３１６６号公報
【特許文献２】特開２０００−３３５０２９号公報
【発明の開示】
【発明が解決しようとする課題】
【０００６】
　ところで、前述したようなカッタ付きプリンタでは、一々容器を取り出して満杯か否かを確認する作業が面倒である。また、その作業を怠ると、容器が切屑で満杯になり、満杯になると切屑が溢れてプリンタ内に散らばり、これによってカッタの切断動作やプリンタの記録紙搬送動作などを妨げるおそれがある。また、容器やプリンタの内部に満杯を検知するセンサを設けるとコストが高く付く。
【０００７】
　本発明は、上記課題を考慮してなされたもので、容器が満杯か否かを確認する作業を簡便に行えるように工夫したカッタ付きプリンタをローコストで提供することを目的とする。
【課題を解決するための手段】
【０００８】
　上記目的を達成するために、本発明のカッタ付きプリンタでは、容器を外部に取り出し自在に設け、記録紙又は記録紙を収納するマガジンを装填するときに開かれる装填蓋の開き動作に連動して前記容器を収納部の一部が外部に露呈する位置に移動させる連動手段を備えたものである。
【０００９】
　容器の取り出し方法としては、容器をそのまま取り出すタイプと、プリンタの外部に設けた取り出し蓋を開いて容器を取り出すタイプとがある。前者のタイプの場合には、容器の外面の一部が該プリンタの外カバーを構成している。この場合には、容器に設けられた被係合部と、装填蓋に設けられ装填蓋の開き動作に連動して被係合部に係合して容器を移動させる係合部とで連動手段を構成する。取り出し蓋を設けたタイプでは、被係合部を取り出し蓋に設ければよい。なお、取り出し蓋の開き動作に連動して容器が取り出し方向に移動するように構成にしておけば便利である。
【発明の効果】
【００１０】
　以上のように、本発明のカッタ付きプリンタでは、記録紙又は記録紙を収納するマガジンを装填するときに連動手段が装填蓋の開き動作に連動して容器が収納部の一部が外部に露呈する位置に移動するため、記録紙の交換の時期に必ず収納部に溜まった切屑の容量を視認することができる。このため、プリンタの動作に生じる不都合を未然に防止することができる。
【発明を実施するための最良の形態】
【００１１】
カッタ付きプリンタ１０には、図１に示すように、前面にスロット１１、操作部１２、及び装填蓋１３などが設けられており、また装填蓋１３の隣には容器１４に設けた取手１５が設けられている。取手１５は、取り出すときの手掛けとなる。スロット１１には、磁気記録媒体がセットされる。操作部１２は、プリントボタンや余白有り無しの何れか一方を選択する選択ボタンなどで構成されている。プリンタ１０は、磁気記録媒体に書き込まれた画像データを読み出し、読み出した画像データを記録手段で記録紙に記録し、画像記録済みの記録紙をシート形態で側面に設けた排出口１６から排出する。
【００１２】
　プリンタの内部には、図２に示すように、装填室１７、プリント部１８、及び収納部１９とが配されている。装填室１７には、給紙マガジン２０が装填される。給紙マガジン２０には、記録紙をロール状に巻回したロール記録紙が収納されており、また、送り出し機構が内蔵されている。送り出し機構は、プリンタ１０の内部から伝達される駆動を利用してロール記録紙を回転して記録紙先端をプリント部１８の搬送方向に沿って送り出す。
【００１３】
　プリント部１８には、搬送手段、サーマルヘッド、カッタなどが内蔵されている。搬送手段は、給紙マガジン２０から送り出た記録紙を搬送方向に沿って搬送する。サーマルヘッドは、記録紙の画像記録アリアに画像を記録する。カッタは、画像記録後の記録紙の前後端余白を切断する。切断した記録紙は、再び搬送手段により搬送方向に向けて搬送され排出口１６から排出する。収納部１９は、カッタの下に配置され、落下する切屑や余白屑などを収納する。この収納部１９の前面に取手１５が設けられており、取手１５の前面は、プリンタ１０の外カバーの一部を構成している。
【００１４】
　図３に示すように、装填蓋１３は、ヒンジ２２によってプリンタ１０の前面に取り付けられている。ヒンジ２２は、プリント部１８の搬送方向と平行な軸を中心に装填蓋１３を開き位置と閉じ位置との間で開閉自在に支持する。装填蓋１３が開き位置になるとプリンタ１０の内部の装填室１７が露呈され、ここから給紙マガジン２０を搬送方向に対する直交方向に向けて取り出すことができる。また、容器１４には、プリンタ１０の内部に設けたレール２３に係合するレール受け部２４が形成されている。レール２３は、搬送方向に対する直交方向に沿って設けられており、収納部１９をプリンタ１０の内部に収納する収納位置から収納部１９の一部を外部に露呈する位置までの間で容器１４の移動をガイドする。これにより、容器１４は前記給紙マガジン２０と同じ取り出し方向に向けて取り出すことができる。
【００１５】
　図４に示すように、装填蓋１３には、容器１４に向けて突出した係合板２５が一体に設けられている。容器１４には、装填蓋１３に向けて突出した被係合板２６が一体に設けられている。被係合板２６の後面は、容器１４が収納位置のときに係合板２５の前面に当接する。係合板２５は、装填蓋１３を閉じ位置から開き位置に向けて開くときに被係合部２６を押して容器１４を取り出し方向に移動させる。
【００１６】
　プリンタ１０を、例えばカラー感熱記録紙を用いるカラー感熱プリンタとして説明する。カラー感熱記録紙は、透明もしくは白色の支持体上にシアン感熱発色層、マゼンタ感熱発色層、イエロー感熱発色層、透明保護層が順次積層された構造をしている。カラー感熱プリンタ１０は、プリント操作が行われると、プリンタの内部に設けた送りモータによって給紙マガジン２０の内部に設けた給紙ローラを回転させてロール記録紙を回転させ、その先端を給紙マガジン２０に設けた送出口を通してプリント部１８に送る。
【００１７】
プリント部１８に送り出された記録紙は、搬送手段によりサーマルヘッドに送られる。その後搬送手段によりカラー感熱記録紙を搬送方向とその逆方向とに往復搬送し、そのうちの搬送方向への搬送中にサーマルヘッドでイエロー、マゼンタ、シアンの画像を面順次で形成する。また、イエロー画像とマゼンタ画像がそれぞれプリントされた後には光定着器によって光定着処理が行われ、未発色成分を分解する。なお、記録紙の往復搬送の間は給紙マガジン２０に設けた給紙ローラも正逆回転される。
【００１８】
　記録終了後には、記録紙をカッタに向けて搬送する。搬送手段は、画像記録エリアの先端がカッタの切断位置に合ったときに搬送を停止する。そして、搬送停止後にカッタを動作して先端余白を切り落とす。その後、搬送手段により画像記録エリアの後端がカッタの切断位置に合うまで記録紙を搬送し、その後にカッタが作動する。これにより帯状記録紙から画像記録済みの記録紙が１枚のシート状に切り離される。切り離されたシートは搬送手段により排出口１６からプリンタ１０の外部に排出される。カッタで切り落とされた切屑や前端余白屑は、収納部１９に落下する。
【００１９】
　連続してプリントする場合には、先端をサーマルヘッドまで戻した後に前述と同じようにして次の画像が記録紙に記録される。また、プリント作業を終了すると、搬送手段により帯状記録紙の先端を給紙マガジン２０の内部に引き戻し、給紙マガジン２０の送出口を遮蔽する。これにより、カラー感熱記録紙の防湿が行える。
【００２０】
　ロール記録紙の残量が少なくなると、その径を検知するセンサによりプリンタ１０の外部にその旨を表す表示が点灯する。その表示を視認してロール記録紙の交換が行われる。ロール記録紙の交換は、装填蓋１３を開く。これにより装填蓋１３は、図５に示すようにヒンジ２２を中心として回転し、同図（ｂ）に示すようにその回転中に係合板２５の前面上端が被係合板２６の後面を押して容器１４を取り出し方向に長さＬ１だけ引き出し、同図（ｃ）に示すように装填蓋１３の開き位置Ｐ１に到達する前に係合板２５の前面上端が被係合板２６の後面から離脱してその後開き位置Ｐ１に保持される。これにより、容器１４は収納位置Ｐ２から長さＬ２の分だけ取り出し方向に向けて移動し、収納部１９の一部が外部に露呈される。これにより、収納部１９に溜まった切屑の容量を視認することができる。ここで、収納部１９にまだ余裕がある場合には容器１４を再び収納位置Ｐ２まで押し込んでセットする。容量が一杯の場合には、容器１４を完全に取り出して切屑を捨て再びセットすればよい。
【００２１】
　ロール記録紙の交換は、給紙マガジン２０を取り出し、給紙マガジンの蓋を開いて行う。交換期の給紙マガジン２０を再び取り出し方向とは逆の方向に押し込んでセットする。セット後、容器１４がセットされていることを確認してから装填蓋１３を閉じる。なお、記録紙の交換の時期に容器１４を取り出して収納部１９に溜まった切屑を必ず捨てる旨の文章や絵文字をラベルに記載してプリンタ１０の外部に表示するのが望ましい。これによれば、記録紙交換のサイクル分で溜まる容量で収納部１９の大きさを形成しておけばよい。
【００２２】
　上記実施形態では、係合板２５を被係合板２６に係合して装填蓋１３の開き動作に連動して容器１４を移動させる連動手段を設けているが、本発明ではこれに限らず、容器１４をバネで取り出し方向に向けて付勢し、その付勢に抗して装填蓋１３の一部で容器１４を収納位置に維持する構成としてもよい。この場合には装填蓋１３を閉じ位置にロックするロック機構を設ける。これによれば、ロック機構のロックを解除して装填蓋１３を開くとバネの付勢により容器１４が取り出し方向に向けて押し出され、収納部１９の一部が外部に露呈する。
【００２３】
　また、別の実施形態としては、装填蓋と容器との間に別部材の連動レバーを設け、装填蓋の開き操作に連動レバーを連動して収納部の一部を外部に露呈する露呈位置に容器を移動させる構成にしてもよい。この場合には、連動レバー３０を、図６及び図７に示すように、容器１４の取り出し方向に平行な軸３０ａを中心として回転自在に設ける。また、連動レバー３０には、軸３０ａを挟んだ一端には装填蓋１３に係合する係合部３１が、また他端には容器１４を収納位置に保持するストッパ板３２がそれぞれ設けられている。
【００２４】
　連動レバー３０は、ストッパ板３２が容器１４に係合して容器１４を収納位置にロックするロック位置とそのロックを解除する解除位置との間で回転し、付勢手段３３によりロック位置に向けて付勢されている。連動レバー３０のロック位置は、一部３４がストッパ部材３５に当接し、付勢手段３３の付勢方向への回転が阻止される位置となっている。なお、図７に示す符号３６は、容器１４を取り出し方向（露呈位置）に向けて付勢する付勢手段である。また、図６及び図７に示す符号３７は、装填蓋１３に設けた被係合であり、装填蓋１３を開く途中で係合部３１に係合して連動レバー３０を付勢手段３３の付勢に抗して解除位置に向けて回転させる。
【００２５】
　装填蓋１３が閉じているときには、被係合部３７と係合部３１との係合が解除され、連動レバー３０が付勢手段３３によりロック位置に向けて回転付勢されており、その回転付勢に抗してストッパ部材３５が一部３４に当接して連動レバー３０をロック位置に止めている。連動レバー３０がロック位置のときには、ストッパ板３２が容器１４の移動軌跡上に入り込んで凹部１４ａに係合することで付勢手段３６の付勢に抗して容器１４を収納位置に保持している。
【００２６】
　装填蓋１３を開き位置に向けて開くと、その開き動作の途中で被係合部３７が係合部３１に当接し、その後の開き動作により被係合部３７が係合部３１を追従して移動させる。これにより、図８及び図９に示すように、連動レバー３０が付勢手段３３の付勢に抗して解除位置に向けて回転する。連動レバー３０が解除位置に向けて回転すると、その回転途中でストッパ板３２が容器１４の移動軌跡上から退避してストッパ板３２と容器１４との係合が解除される。これにより、容器１４は付勢手段３６の付勢によりプリンタ１０の開口１０ａから露呈位置に向けて押し出される。これにより、用紙交換ごとに切屑の処理を行うことができる。
【００２７】
　容器１４がプリンタ１０から完全に取り外されていない場合、ストッパ板３２の移動軌跡上に容器１４の底面が位置しているから、容器１４を露呈位置に残したまま装填蓋１３を閉じると、ストッパ板３２が容器１４の底面に当接して連動レバー３０がロック位置まで回転しない。しかし、その後に、容器１４を収納位置に押し込むことでストッパ板３２が凹部１４ａに入り込んで連動レバー３０がロック位置に回転して容器１４をロックする。
【００２８】
　容器１４がプリンタ１０の開口１０ａから取り出されているときに装填蓋１３を閉めると、ストッパ板３２の移動軌跡上に何も位置していないため、連動レバー３０がロック位置に回転する。その後、容器１４を開口１０ａに挿入すると、容器１４の移動軌跡上にストッパ板３２が対峙しているため、容器１４を押し込むことができない。しかし、容器１４の後端１４ｂが押し込まれるストッパ板３２の前面に斜面３２ａを設けることで、容器１４の後端１４ｂの当接を利用して連動レバー３０を解除位置に向けて自動的に回転させることができる。このように構成すると、装填蓋１３を閉めた後に容器１４を開口１０ａに挿入しても、そのまま収納位置に収めることができる。
【産業上の利用可能性】
【００２９】
上記実施形態では、カラー感熱プリンタとしたが、この他に、銀塩式写真プリンタやそれに用いる印画紙の給紙マガジンに本発明を実施してもよい。また、遮光や防湿を必要としない通常の普通紙用のプリンタに本発明を実施してもよい。この場合のプリンタには、シート紙を利用して例えば全周余白をカットするときに生じる切屑を溜める容器をもっており、給紙カセットを取り出すときに連動してその容器を外部に向けて押し出す連動手段を設ければよい。
【図面の簡単な説明】
【００３０】
【図１】本発明のプリンタの外観を示す斜視図である。
【図２】プリンタの内部を概略的に示す説明図である。
【図３】給紙マガジンと容器とを取り出した状態のプリンタを示す斜視図である。
【図４】互いに連係関係となっている装填蓋と容器とを示す斜視図である。
【図５】装填蓋の開き動作に連動して容器が押し出される動作を説明した説明図である。
【図６】装填蓋及び容器とは別の部材である連動レバーを設けた別の実施形態を示す説明図であり、装填蓋を閉じ位置にまた容器を収納位置にした状態をプリンタの正面側から見た図である。
【図７】図６で説明した状態を側面から見た説明図である。
【図８】図６で説明した装填蓋を開いた状態をプリンタの正面側から見た説明図である。
【図９】図８で説明した状態を側面から見た説明図である。
【符号の説明】
【００３１】
　１０　プリンタ
　１３　装填蓋
　１４　容器
　１４ａ　凹部
　１５　取手
　１９　収納部
　２５　係合板
　２６　被係合板
　３０　連動レバー
　３１　係止部
　３２　ストッパ板
　３７　被係合部
【図１】
2004136650.tif 000003
【図２】
2004136650.tif 000004
【図３】
2004136650.tif 000005
【図４】
2004136650.tif 000006
【図５】
2004136650.tif 000007
【図６】
2004136650.tif 000008
【図７】
2004136650.tif 000009
【図８】
2004136650.tif 000010
【図９】
2004136650.tif 000011